(57)【特許請求の範囲】
【請求項１】
電池を内蔵する電子機器(20)を脱着自在に嵌着構造で定位置に保持してセットする装着部(2)を有するケース(1)と、この装着部(2)にセットされる電子機器(20)の接続端子(21)に弾性的に押圧される出力端子(3)と、ケース(1)の装着部(2)に突出する突出部(7)を有し、かつ装着部(2)にセットされる電子機器(20)に押されて移動する台(6)と、この台(6)の突出部(7)を装着部(2)に突出する方向に弾性力を加えている弾性体(9)とを備える充電台であって、
出力端子(3)は弾性変形できる弾性金属線で、ケース(1)内に固定され、電子機器(20)の接続端子(21)に接続される接点部(5a)を有し、
台(6)は、電子機器(20)のセットされない非装着位置において、出力端子(3)の接点部(5a)をケース(1)内の方向に移動させる押下部(8)を有し、
装着部(2)に電子機器(20)が装着されない非装着位置において、台(6)の押下部(8)が出力端子(3)の接点部(5a)をケース(1)内の方向に移動し、
装着部(2)に電子機器(20)が装着される装着状態では、電子機器(20)が台(6)の突出部(7)を押し込んで台(6)を移動させ、移動位置にある傾動台(6)の押下部(8)が出力端子(3)の接点部(5a)を装着部(2)に突出して、電子機器(20)の接続端子(21)に電気接続されるようにしてなり、
出力端子(3)が、一端部を山形に折曲して接点部(5a)とし、他端部を固定部(5c)として、接点部(5a)と固定部(5c)が拡開する方向に弾性力が作用する押しバネであり、
出力端子(3)において、固定部(5c)とは反対に、接点部(5a)から延長する部分を、台(6)の押下部(8)が押し下げる
充電台。
【発明の詳細な説明】
【技術分野】
【０００１】
本発明は、装着される電子機器に、出力端子を安定して接続できる充電台に関し、とくに、電子機器を装着するときに、ケース内から出力端子を突出させて電子機器に電気接続して接触不良を解消する充電台に関する。
【背景技術】
【０００２】
電子機器を装着しない状態で出力端子をケース内に収納し、電子機器を装着すると出力端子が突出して電子機器に電気接続される充電器は開発されている。（特許文献１参照）
【先行技術文献】
【特許文献】
【０００３】
【特許文献１】特開２００３−１３４６８０号公報
【発明の概要】
【発明が解決しようとする課題】
【０００４】
特許文献１に記載される充電器は、電子機器である電話器を装着しない状態では、出力端子をケース内に収納し、電話器を装着すると出力端子が突出して電話器の接点に接触する構造としている。この充電器は、装着部の底面から突出して、電話機の接点を弾性的に押圧する一対の充電端子を設けている。充電器は、一対の充電端子をケースから出し入れするために、装着部に装着される電話器に押圧されて、充電端子の位置を移動させる一対の作動部材を備える。この作動部材は、装着部の底面に出入りできるように配設される突出部と、充電端子を押し下げてケース内に移動させる規制部とを備える。さらに、充電器は、電子機器が装着されない非装着状態で、規制部で出力端子を押し下げて、突出部を底面から突出させる方向に一対の作動部材を付勢する弾性体を備える。この充電器は、装着部に電子機器が装着されない非装着状態では、弾性体の弾性力によって、作動部材の規制部が出力端子を押し下げて、出力端子をケース内に収納する。また、装着部に電子機器が装着される状態では、突出部が電子機器に押圧されて、作動部材がケース内に傾動し、傾動する規制部が出力端子を押し下げなくなって、出力端子が装着部に突出して電話機の接点を弾性的に押圧する。この構造の充電器は、電子機器の装着状態によって、一対の充電端子からなる出力端子をケースから出入りさせて、電子機器の接点に接触不良を解消しながら接続できる。
【０００５】
ところで、充電器と電子機器を、たとえばＵＳＢ端子を介して通信する充電器は、一対の充電端子に加えて多数の信号端子を電子機器に接続する必要がある。この構造にあっては、充電端子と信号端子からなる多数の出力端子を並べて配列する必要がある。多数の出力端子を電子機器の接続端子に接触させる構造は、出力端子が電子機器を押圧する力が強くなる。それは、接触不良を解消するために、各々の出力端子を所定の押圧力で接続端子に押し付けるからである。出力端子が電子機器を押圧するトータルの押圧力が大きくなると、電子機器を充電器の定位置にセットできなくなる。この弊害は、充電器に電子機器を嵌着構造で定位置に保持することで解消できる。この充電器は、ケースに電子機器を定位置に保持する嵌着部を設けている。嵌着構造で定位置に配置される電子機器は、突出部を押し込んで、多数の出力端子をケースから押し出して電子機器の接続端子に接触させる。
【０００６】
この構造の充電器は、突出部を押し込んで、多数の出力端子をケースから押し出すので、出力端子数が多くなると、突出部を押圧する力が強くなる。たとえば、３つの信号端子と、２つの電源端子を電子機器に接続する充電器は、５つの出力端子を電子機器に押圧する。この充電器は、５つの出力端子を押し出すので、突出部を押し込む力が強くなり、電子機器の突出部を押圧する部分が損傷しやすくなる欠点がある。
【０００７】
本発明の請求項１の目的は、押下部が出力端子を押し下げて、接点部をケースの内部に収納する充電台、また、出力端子の接点部を上昇させる充電台を提供することにある。  本発明は、この欠点を解決することを目的に開発されたものである。本発明の重要な目的は、電源端子と信号端子の両方を装着される電子機器に接続しながら、出力端子を押し出す突出部による電子機器の損傷を少なくできる充電台を提供することにある。
また、本発明の他の大切な目的は、雑音の影響を少なくしながら通信回路を電子機器の接続端子に接続できる充電台を提供することにある。
【課題を解決するための手段】
【０００８】
本発明の請求項１の受電台は、電池を内蔵する電子機器を脱着自在に嵌着構造で定位置に保持してセットする装着部を有するケースと、この装着部にセットされる電子機器の接続端子に弾性的に押圧される出力端子と、ケースの装着部に突出する突出部を有し、かつ装着部にセットされる電子機器に押されて移動する台と、この台の突出部を装着部に突出する方向に弾性力を加えている弾性体とを備える充電台であって、出力端子は弾性変形できる弾性金属線で、ケース(1)内に固定され、電子機器の接続端子に接続される接点部を有し、台は、電子機器のセットされない非装着位置において、出力端子の接点部をケース内の方向に移動させる押下部を有し、装着部に電子機器が装着されない非装着位置において、台の押下部が出力端子の接点部をケース内の方向に移動し、装着部に電子機器が装着される装着状態では、電子機器が台の突出部を押し込んで台を移動させ、移動位置にある傾動台の押下部が出力端子の接点部を装着部に突出して、電子機器の接続端子に電気接続されるようにしてなり、出力端子が、一端部を山形に折曲して接点部とし、他端部を固定部として、接点部と固定部が拡開する方向に弾性力が作用する押しバネであり、出力端子において、固定部とは反対に、接点部から延長する部分を、台の押下部が押し下げる。
本発明の充電台は、前述の目的を達成するために以下の構成を備える。
充電台は、電池を内蔵する電子機器２０を脱着自在に嵌着構造で定位置に保持してセットする装着部２を有するケース１と、この装着部２にセットされる電子機器２０の接続端子２１に弾性的に押圧される電源端子４及び信号端子５からなる複数の出力端子３と、ケース１の装着部２に突出する突出部７を有し、かつ装着部２にセットされる電子機器２０に押されて傾動する傾動台６と、この傾動台６の突出部７を装着部２に突出する方向に弾性力を加えている弾性体９と、ケース１に内蔵される基板１０とを備える。電源端子４と信号端子５からなる出力端子３は弾性変形できる弾性金属線で、電子機器２０の接続端子２１に接続される接点部４ａ、５ａを有する。電源端子４は傾動台６に連結しており、信号端子５は基板１０に連結している。傾動台６は、電子機器２０のセットされない非装着位置において、信号端子５の接点部５ａをケース１内の方向に移動させる押下部８を有する。装着部２に電子機器２０が装着されない非装着位置において、傾動台６の押下部８が、信号端子５の接点部５ａをケース１内の方向に移動させると共に、傾動台６に連結している電源端子４が傾動台６と共に、ケース１内の方向に移動する。装着部２に電子機器２０が装着される装着状態では、電子機器２０が傾動台６の突出部７を押し込んで傾動台６を傾動させ、傾動位置にある傾動台６の押下部８が信号端子５の接点部５ａを装着部２に突出させると共に、傾動台６に連結している電源端子４の接点部４ａも装着部２に突出させて、電子機器２０の接続端子２１に電気接続される。
【０００９】
本発明の充電台は、電源端子４と信号端子５からなる複数の出力端子３を、接点部４ａ、５ａを横並び配列とする状態で、傾動台６と基板１０に連結することができる。
【００１０】
本発明の充電台は、電源端子４と信号端子５が、弾性金属線の中間をループ状に加工すると共に、ループ４ｂ、５ｂの一端部を山形に折曲して接点部４ａ、５ａとし、ループ４ｂ、５ｂの他端部を固定部４ｃ、５ｃとすることができる。さらに、電源端子４は、固定部４ｃを傾動台６に連結し、信号端子５は、固定部５ｃを基板１０に連結することができる。
【００１１】
本発明の充電台は、傾動台６を、中間を支点として傾動自在にケース１に内蔵し、支点の一方の端部である第１の端部６Ａに突出部７を設け、他方の第２の端部６Ｂに出力端子３の接点部４ａ、５ａを突出させる電極窓１４を開口して、山形に折曲している接点部４ａ、５ａを電極窓１４に出入り自在に挿通することができる。
【発明の効果】
【００１２】
本発明の請求項１の受電台は、押下部が出力端子を押し下げて、接点部をケースの内部に収納する。また、出力端子の接点部を上昇させる。
本発明の充電台は、電源端子と信号端子の両方を電子機器の接続端子に押圧しながら、これらの出力端子をケースから押し出す突出部による電子機器の損傷を少なくできる特徴がある。それは、本発明の充電台が、全ての出力端子をケースに内蔵する基板には固定しないで、信号端子のみを基板に固定し、電源端子を突出部で傾動される傾動台に固定しているからである。信号端子は、基板に固定されて、傾動台の押下部に押されて接点部がケース内に収納される。信号端子の接点部をケース内に押し込んでいる傾動台は、弾性体に押されて突出部を突出させる位置に傾動している。弾性体が、傾動台を傾動させて信号端子の接点部をケース内に押し込んでいるので、信号端子が多くなると、弾性体が強く傾動台を傾動させる必要がある。弾性体の弾性力で傾動台を傾動させるからである。本発明の充電台は、基板に固定するのを信号端子のみとして、電源端子を基板には固定しない。この構造は、基板に固定する出力端子数を少なくできる。このため、弾性体が傾動台を傾動させて、接点部をケース内に押し込む出力端子数を少なくできる。したがって、弾性体が傾動台を傾動させる弾性力を弱くできる。いいかえると、弾性体を弱いバネにできる。弱いバネで傾動される傾動台は、突出部が装着部に突出される力を弱くできる。このため、突出部を電子機器で押し込む力を弱くでき、電源端子が突出部に押されて損傷するのを防止できる。
【００１３】
さらに、本発明の充電台は、電源端子を傾動台に固定する。したがって、電源端子は傾動台の突出部を装着部に突出させる力を作用させない。ただ、電子機器が装着部にセットされる状態では、電源端子は電子機器の接続端子に押圧させる。しかしながら、電子機器は、突出部を押し込んで傾動台を傾動させた後、接続端子を電源端子に接触する姿勢として装着部にセットできる。このため、電子機器が突出部をケース内に押し込むとき、電源端子の弾性が突出部を電子機器に押圧することはない。したがって、本発明の充電台は、電子機器が突出部を押し込む力を弱くして、突出部による電子機器の損傷を少なくできる。
【００１４】
また、本発明の充電台は、信号端子を基板に固定して、電源端子を傾動台に固定しているので、電源端子はリード線を介して基板に接続する必要があるが、信号端子は基板に直接に固定して、雑音を誘導するリード線を接続する必要がない。このため、信号端子の雑音の影響を少なくできる特徴も実現する。
【図面の簡単な説明】
【００１５】
【図１】本発明の一実施例にかかる充電台の斜視図である。
【図２】図１に示す充電台の平面図である。
【図３】図２に示す充電台のＡ−Ａ線断面図である。
【図４】図２に示す充電台のＢ−Ｂ線断面図である。
【図５】図３に示す充電台に電子機器をセットする途中を示す断面図である。
【図６】図４に示す充電台に電子機器をセットする途中を示す断面図である。
【図７】図３に示す充電台に電子機器をセットする状態を示す断面図である。
【図８】図４に示す充電台に電子機器をセットする状態を示す断面図である。
【図９】図１に示す充電台の内部構造を示す斜視図である。
【図１０】充電台の内部構造を示す分解斜視図である。
【発明を実施するための最良の形態】
【００１６】
以下、本発明の実施例を図面に基づいて説明する。ただし、以下に示す実施例は、本発明の技術思想を具体化するための充電台を例示するものであって、本発明は充電台を以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１ないし図１０に示す充電台は、電池を内蔵する電子機器２０を脱着できるようにセットする装着部２を有するケース１と、この装着部２にセットされる電子機器２０の接続端子２１に接続される複数の出力端子３と、ケース１に内蔵されてセットされる電子機器２０で傾動される傾動台６と、この傾動台６を傾動させる方向に弾性力を加えている弾性体９と、ケース１に内蔵している基板１０とを備える。
【００１９】
ケース１はプラスチックを成形したもので、図１の斜視図と、図２の平面図に示すように、上面１Ａに電子機器２０をセットする装着部２を設けている。図のケース１は、上面１Ａに、傾動台６の突出部７を突出させる突出窓１７と、出力端子３である電源端子４と信号端子５の接点部４ａ、５ａを突出させる電極窓１８とを開口している。さらに、図のケース１は、装着部２の両端部に周壁１１を設けている。装着部２は、電子機器２０を嵌着構造で一定の位置に保持する。図の装着部２は、周壁１１の内側に、電子機器２０の一端部を挿入して定位置に保持する嵌着溝１２を設けてなる嵌着構造としている。装着部２にセットされた電子機器２０は、図７と図８に示すように、傾動台６の突出部７と、出力端子３である電源端子４と信号端子５の接点部４ａ、５ａに押圧される。装着部２の嵌着構造は、突出部７と接点部４ａ、５ａに押圧される電子機器２０を定位置に保持する。図のケース１は、電子機器２０を傾斜姿勢で装着する装着部２を設けている。ただ、本発明の充電台は、電子機器を装着部にセットする姿勢を傾斜姿勢には特定しない。電子機器を垂直あるいは水平な姿勢で装着部にセットすることもできるからである。
【００２０】
本発明の充電台にセットされて内蔵する電池が充電される電子機器２０は、携帯電話等のように充電できる電池と電子回路を内蔵する機器、あるいはパック電池のように電池を内蔵する機器である。充電台は、ケース１の内部に充電回路を内蔵しており、あるいは外部に設ける電源アダプタに接続されて、装着部２にセットされる電子機器２０に内蔵される電池を充電する。
【００２１】
出力端子３は、ケース１の装着部２にセットされる電子機器２０の接続端子２１に弾性的に押圧されて、電気接続される。出力端子３は、内蔵する電池を充電するための電源端子４と、電子機器２０との間で通信する信号端子５からなる。充電台は、図９と図１０に示すように、３つの信号端子５と、その両側に配設している一対の電源端子４からなる５つの出力端子３を設けている。さらに、電源端子４と信号端子５からなる複数の出力端子３は、電子機器２０の接続端子２１に接続する接点部４ａ、５ａを、一列に横並びに配列している。
【００２２】
電源端子４と信号端子５からなる出力端子３は、弾性変形できる弾性金属線を折曲加工して製作される。図の出力端子３は、弾性金属線の中間をループ状に加工して、その一端部を山形に折曲して接点部４ａ、５ａとし、他端を固定部４ｃ、５ｃとしている。山形の接点部４ａ、５ａは、その両側に直線部４ｄ、５ｄを設けて、直線部４ｄ、５ｄを傾動台６の下面に配設している。出力端子３は、ループ４ｂ、５ｂの両端に設けている接点部４ａ、５ａと固定部４ｃ、５ｃが互いに拡開する方向に弾性力が作用する押しバネである。一対の電源端子４は、固定部４ｃを傾動台６に連結している。図の電源端子４は、固定部４ｃの先端をフック状に加工して、傾動台６に連結している。つまり、電源端子４は、傾動台６に連結されており、電子機器２０が装着部２にセットされて傾動台６が傾動されると、傾動台６と共に傾動する。さらに、電源端子４は、固定部４ｃの先端にリード線１３をハンダ付けなどの方法で連結し、このリード線１３を基板１０に接続している。電源端子４は、リード線１３を介して基板１０から充電電流を供給している。信号端子５は、固定部５ｃを基板１０に直接にハンダ付けなどの方法で固定している。図の信号端子５は、固定部５ｃを基板１０に貫通し、ハンダ付けして固定している。基板１０は、傾動台６の下方にあってケース１の底板１Ｂに固定している。
【００２３】
電源端子４は、接点部４ａの両側に設けた直線部４ｄを傾動台６の下面に配設し、山形の接点部４ａを傾動台６の電極窓１４から上方に突出させている。この電源端子４は、接点部４ａを傾動台６の電極窓１４から弾性的に突出させている。信号端子５も、直線部５ｄを傾動台６の下面に配設し、山形の接点部５ａを傾動台６の電極窓１４から上方に突出させている。この信号端子５も、接点部５ａを傾動台６の電極窓１４から弾性的に突出させている。
【００２４】
傾動台６は、傾動できるようにケース１に内蔵される。この傾動台６は、装着部２にセットされる電子機器２０に押されて傾動する。電子機器２０で傾動するように、傾動台６はケース１の装着部２に突出する突出部７を有する。図１０の傾動台６は、中間に設けた傾動軸１５を支点として傾動できるようにケース１に内蔵される。傾動軸１５は、傾動台６の両側に突出して直線状に設けられる。この傾動軸１５を回転できるように支持する軸受部１９は、ケース１の内部に設けられている。ケース１の軸受部１９に傾動軸１５を入れて、傾動台６は傾動できるようにケース１に連結される。
【００２５】
傾動台６は、支点となる傾動軸１５を境界として、一方の端部である第１の端部６Ａ、図において傾動軸１５の左側の端部に突出部７を設けている。図の傾動台６は、突出部７をプラスチックで傾動台６と別に成形して、突出部７を傾動台６に連結している。突出部７は、装着部２の表面に直交する方向に移動できるようにケース１に設けた凹部１６に入れている。突出部７が凹部１６から抜け出ないように、突出部７は下端に鍔状のストッパを７Ａ設けている。凹部１６は、突出部７を突出させるがストッパ７Ａを係止するように、開口部を小さくしている。さらに、突出部７は、傾動台６の端部を連結する連結溝７Ｂを設けている。連結溝７Ｂは、傾動台６の方向に開口して、傾動台６の先端を挿入している。この突出部７は、電子機器２０に押されてケース１から押し込まれると、連結している傾動台６を傾動させる。
【００２６】
さらに、傾動台６は、支点となる傾動軸１５を境界として、他方の端部である第２の端部６Ｂ、図において右側の端部に、出力端子３の接点部４ａ、５ａを突出させる電極窓１４を開口している。この電極窓１４は、山形に折曲している出力端子３の接点部４ａ、５ａを出入り自在に挿通している。電極窓１４は山形の接点部４ａ、５ａを挿通するので、スリット状に開口している。スリットの幅は、出力端子３の弾性金属線の太さよりも大きく、山形の接点部４ａ、５ａの幅よりも広くしている。図の充電台は、５列の接点部４ａ、５ａを直線状に並べているので、５列のスリット状の電極窓１４を横一列に並べて開口している。傾動台６の電極窓１４は、ケース１の上面１Ａに開口した電極窓１８と互いに対向する位置に設けられている。
【００２７】
傾動台６は、電子機器２０が装着部２にセットされない非装着位置で、信号端子５の接点部５ａをケース１内の方向に移動させる押下部８を有する。図の傾動台６は、第２の端部６Ｂの下面に信号端子５の直線部５ｄを配設して、山形の接点部５ａを電極窓１４から上方に突出させるので、傾動台６の第２の端部６Ｂを信号端子５の押下部８としている。ここで、傾動台の第２の端部６Ｂ（＝信号端子５の押下部８）は、一対の電源端子４も係止しているが、電源端子４は傾動台６に固定されているので、傾動台６と共に傾動する。図の傾動台６は、電源端子４の直線部４ｄも、第２の端部６Ｂの下面に配設して、山形の接点部４ａを電極窓１４から上方に突出している。この構造は、電源端子４の接点部４ａの突出位置を正確に特定できる。ただ、本発明の充電台は、電源端子４を傾動台６に連結しているので、電源端子４を傾動台６に連結する位置を特定して、接点部４ａの突出高さを特定することもできる。したがって、電源端子は、必ずしも傾動台に設けた押下部で突出位置を特定する必要はない。
【００２８】
弾性体９は、突出部７をケース１の装着部２に突出させる方向に傾動台６を押圧している。図の弾性体９は、弾性金属線の中間をループ状に加工して、ループ９ｂの両端に直線状の押圧片９ａ設けている。この弾性体９は、両端の押圧片９ａを拡開する押しバネで、傾動台６とケース１の底板１Ｂとの間に配設されて、傾動台６の突出部側を弾性的に押圧している。電子機器の非装着時においては、３つの信号端子５を傾動台６の第２の端部６Ｂ（＝信号端子５の押下部８）にて、係止し、押し下げるために、弾性体９には、３つの信号端子５の復元力よりも大きな復元力が必要である。ここで、一対の電源端子４は傾動台６と一体となって傾動するので、弾性体９は、一対の電源端子４を押し下げるための復元力を大きくする必要はない。
一方、従来のように、３つの信号端子と一対の電源端子からなる５つの出力端子を基板に固定する構造では、この５つの出力端子の復元力よりも大きな力が弾性体に必要になる。
【００２９】
以上の充電台は、以下の状態で使用される。
［電子機器が装着部にセットされない状態］
図１ないし図４に示すように、電子機器が装着部２にセットされない状態では、突出部７は電子機器２０に押し込まれない。したがって、弾性体９が傾動台６の第１の端部６Ａを下から押し上げて、突出部７をケース１の装着部２に突出させる。傾動台６は、この状態で、非装着位置に配置される。非装着位置にある傾動台６は、図３と図４に示すように、押下部８が出力端子３を押し下げて、接点部４ａ、５ａをケース１の内部に収納する。  
【００３０】
［電子機器が装着部にセットされる途中］
図５と図６に示すように、電子機器２０が装着部２にセットされる途中の状態では、突出部７が電子機器２０に押されてケース１の内部に押し込まれる。図５と図６は、電子機器２０の一方の端部（図において左側の端部）を嵌着溝に１２に挿入し、他方の端部（図において右側の端部）を装着部２に接近させる状態を示している。ただ、これらの図に示す状態では、電子機器２０の全体が装着部２にセットされず、接続端子２１を出力端子３の接点部４ａ、５ａに接触する位置に装着されない。突出部７が電子機器２０でケース１内に押し込まれるが、出力端子３の接点部４ａ、５ａは電子機器２０の接続端子２１に押圧されない。このため、電子機器２０の表面には、突出部７をケース１内に押し込んで、傾動台６を傾動させるための反作用のみが作用する。弾性体９は、３つの信号端子５をケース１内に押し込むように弱いバネとしている。弾性体９が、電源端子４をケース１内に押し込む弾性力を必要としないからである。したがって、電子機器２０の表面には、復元力の弱い弾性体９を弾性変形させるように突出部７を押圧して、傾動台６を傾動させるので、突出部７に押圧される力が弱く、突出部７による損傷を小さくできる。
従来であれば、５つの出力端子の復元力に抗するため、強いバネの弾性体とする必要があるので、この大きな力に抗して電子機器を装着する際に、電子機器の表面に傷がつきやすい問題点があった。
【００３１】
［電子機器が装着部にセットされる状態］
図７と図８に示すように、電子機器２０が装着部２にセットされる状態では、突出部７が電子機器２０に押されてケース１の内部に押し込まれる。突出部７がケース１内に押し込まれると、傾動台６は装着位置に傾動される。装着位置にある傾動台６は、図７と図８に示すように、第２の端部６Ｂが上昇するように傾動して、出力端子３の接点部４ａ、５ａを上昇させる。上昇する出力端子３の接点部４ａ、５ａは、ケース１の上面１Ａから突出して、電子機器２０の接続端子２１に押圧されて電気接続される。このとき、信号端子５は固定部５ｃを基板１０に固定して、それ自体の弾性で接続端子２１に押圧され、電源端子４は固定部４ｃを傾動台６に連結して、それ自体の弾性で接点部４ａを接続端子２１に押圧する。
【符号の説明】
【００３２】
１…ケース                １Ａ…上面
１Ｂ…底面
２…装着部
３…出力端子
４…電源端子              ４ａ…接点部
４ｂ…ループ
４ｃ…固定部
４ｄ…直線部
５…信号端子              ５ａ…接点部
５ｂ…ループ
５ｃ…固定部
５ｄ…直線部
６…傾動台                ６Ａ…第１の端部
６Ｂ…第２の端部
７…突出部                ７Ａ…ストッパ
７Ｂ…連結溝
８…押下部
９…弾性体                ９ａ…押圧片
９ｂ…ループ
１０…基板
１１…周壁
１２…嵌着溝
１３…リード線
１４…電極窓
１５…傾動軸
１６…凹部
１７…突出窓
１８…電極窓
１９…軸受部
２０…電子機器
２１…接続端子
【図１】
0004744620.tif 000002
【図２】
0004744620.tif 000003
【図３】
0004744620.tif 000004
【図４】
0004744620.tif 000005
【図５】
0004744620.tif 000006
【図６】
0004744620.tif 000007
【図７】
0004744620.tif 000008
【図８】
0004744620.tif 000009
【図９】
0004744620.tif 000010
【図１０】
0004744620.tif 000011